(57)【要約】【課題】飲料容器とは別形状の副収容物を安定した状態で収容できるカップホルダ装置を提供する。【解決手段】カップホルダ装置１０は、上部が開口した収容空間２０ａを有するホルダ本体部２０と、ホルダ本体部２０の収容空間２０ａを複数の領域２１，２２，２３に仕切る仕切部３０と、ホルダ本体部２０に収容空間２０ａを開閉可能に取付けられた蓋部４０と、を備え、仕切部３０によって仕切られたホルダ本体部２０の複数の領域２１，２２，２３には、飲料容器Ｗ１を収容するための第１領域２１と、飲料容器Ｗ１とは別形状の副収容物Ｗ２を収容するための第２領域２２と、が含まれており、蓋部４０は、開位置Ｐ１において垂直方向に沿って第２領域２２よりも上方に突出して第２領域２２に収容された副収容物Ｗ２を側方から支持可能に構成されている。【選択図】図２
2019127146.tif 000002
【特許請求の範囲】
【請求項１】
上部が開口した収容空間を有するホルダ本体部と、
上記ホルダ本体部の上記収容空間を複数の領域に仕切る仕切部と、
上記ホルダ本体部に上記収容空間を開閉可能に取付けられた蓋部と、
を備え、
上記仕切部によって仕切られた上記ホルダ本体部の上記複数の領域には、飲料容器を収容するための第１領域と、上記飲料容器とは別形状の副収容物を収容するための第２領域と、が含まれており、
上記蓋部は、開位置において垂直方向に沿って上記第２領域よりも上方に突出して上記第２領域に収容された上記副収容物を側方から支持可能に構成されている、カップホルダ装置。
【請求項２】
上記蓋部は、上記開位置と水平方向に沿って延在する閉位置との間で回動中心の周りに回動可能に構成されている、請求項１に記載のカップホルダ装置。
【請求項３】
上記ホルダ本体部は、上記回動中心を構成する回動軸を有し、上記蓋部は、上記閉位置での前端部から延出して上記回動軸に連結された連結アームを有し、上記回動軸は、上記蓋部が上記閉位置にあるときに上記前端部よりも下方であり且つ後方に配置されている、請求項２に記載のカップホルダ装置。
【請求項４】
上記ホルダ本体部は、上記第１領域が上記第２領域の後方に配置されるように構成されている、請求項３に記載のカップホルダ装置。
【請求項５】
上記蓋部は、上記開位置で上記第２領域に収容された上記副収容物に対向する対向面に柔軟な素材からなるクッション部を有し、上記クッション部を介して上記副収容物を支持可能に構成されている、請求項１〜４のいずれか一項に記載のカップホルダ装置。
【請求項６】
上記クッション部は、上記蓋部が開位置から閉位置に設定されるときに上記ホルダ本体部の停止面に当接するように構成されている、請求項５に記載のカップホルダ装置。
【請求項７】
上記仕切部は、上記ホルダ本体部に着脱可能に取付けられている、請求項１〜６のいずれか一項に記載のカップホルダ装置。
【請求項８】
上記仕切部によって仕切られた上記ホルダ本体部の上記複数の領域には、上記飲料容器が取っ手付き容器であるときにこの取っ手付き容器の取っ手を収容するための第３領域が含まれている、請求項１〜７のいずれか一項に記載のカップホルダ装置。
【発明の詳細な説明】
【技術分野】
【０００１】
本発明は、飲料容器を収容するためのカップホルダ装置に関する。
【背景技術】
【０００２】
従来、この種のカップホルダ装置として車両の運転席と助手席との間のセンターコンソールに設けられるものが知られている。このカップホルダ装置において、飲料容器を収容するための収容空間は、飲料容器に限らず携帯電話機などのように飲料容器以外の副収容物を収容するのにも使用される場合がある。ところが、飲料容器用の収容空間は、例えば携帯電話機のような別形状の副収容物を収容することを想定して寸法設定されたものではない。
【０００３】
そこで、下記の特許文献１に開示のカップホルダ装置は、収容空間を仕切部によって、飲料容器を収容するための第１領域と、小物などの副収容物を収容するために第１領域よりも小容量の第２領域と、に仕切ることができるように構成されている。このカップホルダ装置によれば、仕切部によって仕切られた第２領域に飲料容器以外の副収容物を収容することができる。
【先行技術文献】
【特許文献】
【０００４】
【特許文献１】特開平６−３２０９９７号公報
【発明の概要】
【発明が解決しようとする課題】
【０００５】
しかしながら、上記のカップホルダ装置において、収容空間の第２領域の深さが浅い場合には、携帯電話機のような縦長の副収容物は第２領域よりも上方へ突出することになり、不安定な収容状態になり易いという問題が生じ得る。
【０００６】
本発明は、かかる課題に鑑みてなされたものであり、飲料容器とは別形状の副収容物を安定した状態で収容できるカップホルダ装置を提供しようとするものである。
【課題を解決するための手段】
【０００７】
本発明の一態様は、
上部が開口した収容空間を有するホルダ本体部と、
上記ホルダ本体部の上記収容空間を複数の領域に仕切る仕切部と、
上記ホルダ本体部に上記収容空間を開閉可能に取付けられた蓋部と、
を備え、
上記仕切部によって仕切られた上記ホルダ本体部の上記複数の領域には、飲料容器を収容するための第１領域と、上記飲料容器とは別形状の副収容物を収容するための第２領域と、が含まれており、
上記蓋部は、開位置において垂直方向に沿って上記第２領域よりも上方に突出して上記第２領域に収容された上記副収容物を側方から支持可能に構成されている、カップホルダ装置、
にある。
【発明の効果】
【０００８】
上記のカップホルダ装置によれば、蓋部が開位置に設定されると、この蓋部は垂直方向に沿って第２領域よりも上方に突出する。このとき、第２領域に収容された副収容物のうち第２領域よりも上方に突出した部位を、開位置にある蓋部によって側方から支持することができる。このため、第２領域の深さが浅くて副収容物が傾いた状態で収容された場合であっても、この副収容物を蓋部に立て掛けることによって、この副収容物の不安定な収容状態を解消することができる。
【０００９】
以上のごとく、上記の態様によれば、飲料容器とは別形状の副収容物を安定した状態で収容できるカップホルダ装置を提供することができる。
【図面の簡単な説明】
【００１０】
【図１】車両のコンソールパネルに装着された実施形態１のカップホルダ装置の斜視図。
【図２】図１中のカップホルダ装置の平面図。
【図３】図２のカップホルダ装置を斜め上方から視た斜視図。
【図４】図３のカップホルダ装置において蓋部が閉位置にあるときの斜視図。
【図５】図４のカップホルダ装置の右側面図。
【図６】図５のカップホルダ装置において蓋部が開位置に向けて回動するときの右側面図。
【図７】図５のカップホルダ装置において蓋部が開位置にあり副収容物を側方から支持する様子を示す右側面図。
【図８】図３のカップホルダ装置においてホルダ本体部から仕切部が取外された状態を示す分解斜視図。
【図９】ホルダ本体部に対する仕切部の係合構造を示す図。
【図１０】実施形態２のカップホルダ装置の図２に対応する平面図。
【図１１】実施形態３のカップホルダ装置の図２に対応する平面図。
【発明を実施するための形態】
【００１１】
上述の態様の好ましい実施形態について以下に説明する。
【００１２】
上記のカップホルダ装置において、上記蓋部は、上記開位置と水平方向に沿って延在する閉位置との間で回動中心の周りに回動可能に構成されているのが好ましい。
【００１３】
このカップホルダ装置によれば、回動式の蓋部を利用して副収容物を側方から支持することができる。
【００１４】
上記のカップホルダ装置において、上記ホルダ本体部は、上記回動中心を構成する回動軸を有し、上記蓋部は、上記閉位置での前端部から延出して上記回動軸に連結された連結アームを有し、上記回動軸は、上記蓋部が上記閉位置にあるときに上記前端部よりも下方であり且つ後方に配置されているのが好ましい。
【００１５】
このカップホルダ装置によれば、蓋部の前端部から延出した連結アームを、閉位置でこの前端部よりも後方に配置された回動軸に連結することにより、蓋部を開位置に設定したときに前端部から回動軸までの距離に相当する潜り込み部を回動軸よりも下方に潜り込ませることができる。このため、蓋部が開位置でホルダ本体部よりも上方へ突出する突出量を低く抑えることができ、この蓋部がその上方に配置される操作部材などの操作の邪魔になるのを防ぐことができる。
【００１６】
上記のカップホルダ装置において、上記ホルダ本体部は、上記第１領域が上記第２領域の後方に配置されるように構成されているのが好ましい。
【００１７】
このカップホルダ装置によれば、ホルダ本体部の前後に配置された第１領域及び第２領域の両方を閉位置で塞ぐために蓋部の前後方向の寸法を長くした場合でも、この蓋部の前端部から回動軸までの距離を増やしてこの蓋部のうち開位置で回動軸よりも下方に潜り込む潜り込み部の長さを増やすことによって、蓋部が開位置でホルダ本体部よりも上方へ突出する突出量を所望の長さに抑えるように設定することができる。
【００１８】
上記のカップホルダ装置において、上記蓋部は、上記開位置で上記第２領域に収容された上記副収容物に対向する対向面に柔軟な素材からなるクッション部を有し、上記クッション部を介して上記副収容物を支持可能に構成されているのが好ましい。
【００１９】
このカップホルダ装置によれば、第２領域に収容された副収容物を、柔軟な素材からなるクッション部を介して支持することができる。このため、副収容物のガタツキ音の発生やガタツキによる擦れ傷の発生を防ぐことができ、またこの副収容物が受ける衝撃を緩和することができる。
【００２０】
上記のカップホルダ装置において、上記クッション部は、上記蓋部が開位置から閉位置に設定されるときに上記ホルダ本体部の停止面に当接するように構成されているのが好ましい。
【００２１】
このカップホルダ装置によれば、蓋部を閉じるときにクッション部がホルダ本体部の停止面に当接するため、蓋部の閉操作時のクッション性を高めることができる。この場合、第２領域に収容された副収容物を受けるクッション部を、ホルダ本体部の停止面に当接する当接部として兼用することができる。
【００２２】
上記のカップホルダ装置において、上記仕切部は、上記ホルダ本体部に着脱可能に取付けられているのが好ましい。
【００２３】
このカップホルダ装置によれば、ユーザは着脱式の仕切部を必要に応じてホルダ本体部から取外すことによって、第２領域に堆積した埃などを除去する清掃作業や、第２領域に入り込んだ小物などを取り出す除去作業を容易に行うことができる。
【００２４】
上記のカップホルダ装置において、上記仕切部によって仕切られた上記ホルダ本体部の上記複数の領域には、上記飲料容器が取っ手付き容器であるときにこの取っ手付き容器の取っ手を収容するための第３領域が含まれているのが好ましい。
【００２５】
このカップホルダ装置によれば、副収容物と併せて取っ手付き容器を収容することができる。また、第３領域を第１領域に収容された取っ手付き容器の回り止めとして利用できる。
【００２６】
以下、車両に装着されるカップホルダ装置の実施形態について、図面を参照しつつ説明する。
【００２７】
なお、カップホルダ装置の説明のための図面において、特にことわらない限り、車両に装着された状態のカップホルダ装置の前方を矢印ＦＲで示し、このカップホルダ装置の右方を矢印ＲＨで示し、このカップホルダ装置の上方を矢印ＵＰで示すものとする。また、垂直方向を矢印Ｘで示し、水平方向を矢印Ｙで示すものとする。
【００２８】
（実施形態１）
図１に示されるように、実施形態１のカップホルダ装置１０は、車両の運転席と助手席との間のコンソールパネル１に装着されている。コンソールパネル１は、樹脂材料からなる樹脂成形体として構成されている。
【００２９】
カップホルダ装置１０は、コンソールパネル１とは別体のモジュールとして準備される。このカップホルダ装置１０は、コンソールパネル１に組付けられることによってこのコンソールパネル１と一体化されたコンソールモジュールを形成する。
【００３０】
カップホルダ装置１０は、上部が開口した収容空間２０ａを有するホルダ本体部２０と、ホルダ本体部２０の収容空間２０ａを複数の領域に仕切る仕切部３０と、ホルダ本体部２０に収容空間２０ａを開閉可能に取付けられた蓋部４０と、を備えている。
【００３１】
これらのホルダ本体部２０、仕切部３０及び蓋部４０はいずれも、コンソールパネル１と同様に樹脂材料からなる樹脂成形体として構成されている。
【００３２】
仕切部３０は、ホルダ本体部２０に着脱可能に取付けられている。この仕切部３０によって仕切られた複数の領域には、第１領域２１、第２領域２２及び第３領域２３が含まれている。
【００３３】
図２に示されるように、ホルダ本体部２０は、第１領域２１及び第３領域２３がともに第２領域２２の後方に配置され、且つ第３領域２３の右方に第１領域２１が配置されるように構成されている。
【００３４】
第１領域２１は、飲料容器Ｗ１を収容するための領域であり、水平方向Ｙの断面形状が略円形となるように構成されている。ここでいう「飲料容器Ｗ１」として典型的には、飲み物などの液体を溜めることができる筒状部を有するコップ、グラス、マグカップなどの容器や、ペットボトル、飲料缶などが挙げられる。
【００３５】
第２領域２２は、飲料容器Ｗ１とは別形状の副収容物Ｗ２を収容するための領域であり、水平方向Ｙの断面形状が略長方形となるように構成されている。また、この第２領域２２は、左右方向の寸法が前後方向の寸法を上回り、第１領域２１と同一の深さを有し、且つ第１領域２１よりも小容量となるように構成されている。ここでいう「副収容物Ｗ２」として典型的には、携帯電話機、携帯型の音楽プレーヤー、カード類などが挙げられる。
【００３６】
第３領域２３は、飲料容器Ｗ１が、マグカップのような取っ手付き容器であるときにこの取っ手付き容器の取っ手Ｗ３を収容するための領域である。このため、第３領域２３は、第１領域２１に連通しており、第１領域２１よりも深さが浅く、且つ水平方向Ｙの断面形状が略長方形となるように構成されている。
【００３７】
なお、上記の第１領域２１、第２領域２２及び第３領域２３に、必要に応じて小物などを収容してもよい。
【００３８】
また、ホルダ本体部２０には、第２領域２２の前方にこの第２領域２２に隣接して収容空間２０ｂが設けられている。この収容空間２０ｂには、蓋部４０が開位置Ｐ１に設定されたときにこの蓋部４０の一部が収容される。このため、開位置Ｐ１に設定された蓋部４０の裏面４０ａは、第２領域２２に収容された副収容物Ｗ２に近接して配置されるようになっている。
【００３９】
図３及び図４に示されるように、ホルダ本体部２０は、回動式の蓋部４０の回動中心Ａを構成する回動軸２４を有する。この回動軸２４は、ホルダ本体部２０の左右の壁面にそれぞれ設けられており、左右方向に延在するように構成されている。そして、この回動軸２４には、蓋部４０を開位置Ｐ１に向けて弾性付勢する弾性部材２５が取付けられている。
【００４０】
蓋部４０は、前開き式のリッドとして構成されており、垂直方向Ｘに沿って延在する開位置Ｐ１（図３参照）と水平方向Ｙに沿って延在する閉位置Ｐ２（図４参照）との間で回動中心Ａの周りに回動可能に構成されている。
【００４１】
また、閉位置Ｐ２と開位置Ｐ１との間で回動する蓋部４０は、ホルダ本体部２０に湾曲状に設けられたガイド壁２６によってガイドされるようになっている。
【００４２】
蓋部４０は、閉位置Ｐ２での前端部４１から延出して回動軸２４に連結された略Ｌ字形状の連結アーム４２を有する。この連結アーム４２は、蓋部４０の裏面４０ａの左右にそれぞれ設けられている。
【００４３】
図３に示されるように、蓋部４０は、開位置Ｐ１で第２領域２２に収容された副収容物Ｗ２に対向する対向面である裏面４０ａにクッション部４３を有する。このクッション部４３は、開位置Ｐ１にある蓋部４０の裏面４０ａのうち第２領域２２よりも上方へ突出した上部領域（閉位置Ｐ２における後部領域）に配置されている。
【００４４】
このクッション部４３は、柔軟な素材からなるクッション部材が蓋部４０の裏面４０ａに接合されることによって構成されている。この柔軟な素材として典型的には、ゴム系柔軟素材、ポリプロピレン系柔軟素材、ポリエチレン系柔軟素材、ポリウレタン系柔軟素材、発泡スチロール等の発泡素材などが挙げられる。
【００４５】
図５に示されるように、蓋部４０が閉位置Ｐ２にあるときに連結アーム４２は、前端部４１から下方に向けて延出長さＬ１で延出した第１延出部４２ａと、第１延出部４２ａから更に後方に向けて延出長さＬ２で延出した第２延出部４２ｂと、を有する。そして、連結アーム４２は、第２延出部４２ｂの延出先端部にて回動軸２４に連結されている。また、回動軸２４は、蓋部４０が閉位置Ｐ２にあるときにこの蓋部４０の前端部４１よりも下方であり且つ後方に配置されている。
【００４６】
図６に示されるように、蓋部４０は、ユーザによる開操作によって閉位置Ｐ２から回動軸２４を中心に開方向Ｄ１に回動する。このとき、蓋部４０が閉位置Ｐ２から開位置Ｐ１へと回動する動作は、弾性部材２５の弾性付勢によってアシストされる。これにより、蓋部４０は、図７に示されるように、垂直方向Ｘに沿ってホルダ本体部２０よりも上方に突出した開位置Ｐ１に設定される。
【００４７】
蓋部４０は、この開位置Ｐ１にあるとき、回動軸２４に対して連結アーム４２の第１延出部４２ａの延出長さ（図５中の延出長さＬ１）分だけ前方に配置され、且つ連結アーム４２の第２延出部４２ｂの延出長さ（図５中の延出長さＬ２）分だけ下方に配置される。
【００４８】
この場合、蓋部４０を開位置Ｐ１に設定したときに前端部４１から回動軸２４までの距離に相当する潜り込み部４４（図７参照）が回動軸２４よりも下方に潜り込む。このとき、ホルダ本体部２０から上方への蓋部４０の突出量Ｌ３は、潜り込み部４４の相当する長さ分だけ短くなる。
【００４９】
そして、蓋部４０が開位置Ｐ１にあるときに、ホルダ本体部２０において第１領域２１に飲料容器Ｗ１が収容可能になり、第２領域２２に副収容物Ｗ２が収容可能になる。また、飲料容器Ｗ１が取っ手付き容器の場合は、この取っ手付き容器の取っ手Ｗ３が第３領域２３に収容可能になる。
【００５０】
ここで、蓋部４０は、開位置Ｐ１において垂直方向Ｘに沿って第２領域２２よりも上方に突出して第２領域２２に収容された副収容物Ｗ２を、柔軟な素材からなるクッション部４３を介して側方から支持可能に構成されている。このため、第２領域２２に収容された状態でこの第２領域２２よりも上方へ突出する形状の副収容物Ｗ２の前面を、クッション部４３を介して蓋部４０に立て掛けることができる。
【００５１】
なお、第２領域２２に収容されたときにこの第２領域２２よりも上方へ突出する副収容物Ｗ２であっても、この第２領域２２でクッション部４３に接することなく垂直方向Ｘに概ね直立した状態となるようなものは、蓋部４０の支えを要することなく自立できることは勿論である。
【００５２】
また、上記のクッション部４３は、ユーザによる蓋部４０の閉操作によって開位置Ｐ１（図７参照）から回動軸２４を中心に閉方向Ｄ２（図６参照）に回動して、この蓋部４０が開位置Ｐ１から閉位置Ｐ２に設定されるときにホルダ本体部２０の停止面２０ｃに当接するように構成されている。
【００５３】
図８に示されるように、仕切部３０は、ホルダ本体部２０に取付けられた状態で第１領域２１を形成するための湾曲面３０ａと、第２領域２２を形成するための段差面３０ｂと、を有する。この仕切部３０は、左右方向の一端部３１及び他端部３２のそれぞれに、係合凹部３３を備えている。
なお、図８では、他端部３２の係合凹部３３のみを示している。また、ホルダ本体部２０の内壁面２７及び内壁面２８のそれぞれに上下方向に延在する同一形状の係合凸部２９が設けられている。
【００５４】
このため、図８に示されるように仕切部３０を下降させてホルダ本体部２０に取付けるときに、この仕切部３０の一端部３１の係合凹部３３（図９参照）がホルダ本体部２０の内壁面２７に設けられている係合凸部２９と係合し、且つ他端部３２の係合凹部３３がホルダ本体部２０の内壁面２８に設けられている係合凸部２９（図示省略）と係合する。
【００５５】
図９に示される係合構造が参照されるように、仕切部３０の一端部３１の係合凹部３３は、嵌め込み部３３ｂと、ガイド壁部３３ｃと、を備えている。嵌め込み部３３ｂは、内壁面２７の係合凸部２９の前後方向の幅ｄと概ね同一の幅寸法の嵌め込み空間３３ａを有する。ガイド壁部３３ｃは、嵌め込み部３３ｂから下端に向けて左右方向の空間の幅を徐々に拡張させるように傾斜している。
【００５６】
なお、特に図示しないものの、仕切部３０の他端部３２の係合凹部３３と内壁面２８の係合凸部２９との構造上の関係も図９に示すものと同様である。
【００５７】
このため、左右の係合凹部３３のそれぞれを対応する係合凸部２９と位置合わせした状態で、仕切部３０をホルダ本体部２０に対して下降させると、各係合凹部３３はガイド壁部３３ｃにしたがってガイドされ、係合凸部２９が嵌め込み部３３ｂの嵌め込み空間３３ａに挿入される。このとき、係合凸部２９が嵌め込み部３３ｂの嵌め込み空間３３ａに嵌め込まれる。従って、仕切部３０はホルダ本体部２０に対して前後方向及び左右方向の位置決めがなされるとともに、この仕切部３０にホルダ本体部２０からの抜け止めのための係止力が付与される。
【００５８】
次に、実施形態１の作用効果について説明する。
【００５９】
上記のカップホルダ装置１０によれば、蓋部４０が開位置Ｐ１に設定されると、この蓋部４０は垂直方向Ｘに沿って第２領域２２よりも上方に突出する。このとき、第２領域２２に収容された副収容物Ｗ２のうち第２領域２２よりも上方に突出した部位を、開位置Ｐ１にある蓋部４０によって側方から支持することができる。このため、第２領域２２の深さが浅くて副収容物Ｗ２が傾いた状態で収容された場合であっても、この副収容物Ｗ２を蓋部４０に立て掛けることによって、この副収容物Ｗ２の不安定な収容状態を解消することができる。
【００６０】
従って、飲料容器Ｗ１とは別形状の副収容物Ｗ２を安定した状態で収容できるカップホルダ装置１０を提供することができる。特に、携帯電話機のように縦長の副収容物Ｗ２を安定した状態で収容するのに効果がある。また、既存の蓋部４０を利用して副収容物Ｗ２を支持できるため、この副収容物Ｗ２の支持のために部品点数を増やす必要がない。
【００６１】
上記のカップホルダ装置１０によれば、回動式の蓋部４０を利用して副収容物Ｗ２を側方から支持することができる。
【００６２】
上記のカップホルダ装置１０によれば、蓋部４０の前端部４１から延出した連結アーム４２を、閉位置Ｐ２でこの前端部４１よりも後方に配置された回動軸２４に連結することにより、蓋部４０を開位置Ｐ１に設定したときに前端部４１から回動軸２４までの距離に相当する潜り込み部４４を回動軸２４よりも下方に潜り込ませることができる。このため、蓋部４０が開位置Ｐ１でホルダ本体部２０よりも上方へ突出する突出量（図７中の突出量Ｌ３を参照）を低く抑えることができ、この蓋部４０がその上方に配置される操作部材、例えばインパネに設けられたスイッチ類などの操作の邪魔になるのを防ぐことができる。
【００６３】
上記のカップホルダ装置１０によれば、ホルダ本体部２０の前後に配置された第１領域２１及び第２領域２２の両方を閉位置Ｐ２で塞ぐために蓋部４０の前後方向の寸法を長くした場合でも、この蓋部４０の前端部４１から回動軸２４までの距離を増やしてこの蓋部４０のうち開位置Ｐ１で回動軸２４よりも下方に潜り込む潜り込み部４４の長さを増やすことによって、蓋部４０が開位置Ｐ１でホルダ本体部２０よりも上方へ突出する突出量Ｌ３を所望の長さに抑えるように設定することができる。
【００６４】
上記のカップホルダ装置１０によれば、第２領域２２に収容された副収容物Ｗ２を、柔軟な素材からなるクッション部４３を介して支持することができる。このため、副収容物Ｗ２の車両走行時のガタツキ音の発生やガタツキによる擦れ傷の発生を防ぐことができ、またこの副収容物Ｗ２が車両走行時に受ける衝撃を緩和することができる。
【００６５】
上記のカップホルダ装置１０によれば、蓋部４０を閉じるときにクッション部４３がホルダ本体部２０の停止面２０ｃに当接するため、蓋部４０の閉操作時のクッション性を高めることができる。この場合、第２領域２２に収容された副収容物Ｗ２を受けるクッション部４３を、ホルダ本体部２０の停止面２０ｃに当接する当接部として兼用することができる。
【００６６】
上記のカップホルダ装置１０によれば、ユーザは着脱式の仕切部３０を必要に応じてホルダ本体部２０から取外すことによって、第２領域２２に堆積した埃などを除去する清掃作業や、第２領域２２に入り込んだ小物などを取り出す除去作業を容易に行うことができる。
【００６７】
上記のカップホルダ装置１０によれば、副収容物Ｗ２と併せて飲料容器Ｗ１としての取っ手付き容器を収容することができる。また、第３領域２３を第１領域２１に収容された取っ手付き容器の回り止めとして利用できる。
【００６８】
以下、上記の実施形態１に関連する他の実施形態について図面を参照しつつ説明する。他の実施形態において、実施形態１の要素と同一の要素には同一の符号を付しており、当該同一の要素についての説明は省略する。
【００６９】
（実施形態２）
図１０に示されるように、実施形態２のカップホルダ装置１１０は、ホルダ本体部１２０の構造についてのみ実施形態１のカップホルダ装置１０と相違している。即ち、ホルダ本体部１２０は、停止面２０ｃに複数（図１０では３つ）のクッション部４５を備えている。このクッション部４５は、クッション部４３と同様の柔軟な素材からなるクッション部材が停止面２０ｃに接合されることによって構成されている。
その他の構成は、実施形態１と同様である。
【００７０】
実施形態２のカップホルダ装置１１０によれば、蓋部４０を閉じるときにクッション部４３及びクッション部４５がともにホルダ本体部１２０の停止面２０ｃに当接する。従って、蓋部４０の閉操作時のクッション性を、実施形態１の場合よりも更に高めることができる。
その他、実施形態１と同様の作用効果を奏する。
【００７１】
（実施形態３）
図１１に示されるように、実施形態３のカップホルダ装置２１０は、蓋部２４０の構造についてのみ実施形態１のカップホルダ装置１０と相違している。即ち、蓋部２４０は、実施形態１の蓋部４０に設けられたクッション部４３を備えていない。この場合、第２領域２２に収容された副収容部Ｗ２は、蓋部２４０の裏面４０ａによって側方から直に支えられる。
その他の構成は、実施形態１と同様である。
【００７２】
実施形態３のカップホルダ装置２１０によれば、実施形態１のカップホルダ装置１０においてクッション部４３に相当する部位が省略された構造を採用することによって、実施形態１の場合に比べて蓋部２４０が開位置Ｐ１にあるときの見栄えを向上させることができる。
その他、実施形態１と同様の作用効果を奏する。
【００７３】
なお、この実施形態３に特に関連する変更例として、ホルダ本体部２０の停止面２０ｃに実施形態２のクッション部４５に相当する部位を追加した構造を採用することができる。
【００７４】
本発明は、上記の実施形態のみに限定されるものではなく、本発明の目的を逸脱しない限りにおいて種々の応用や変更が考えられる。例えば、上記の実施形態を応用した次の各形態を実施することもできる。
【００７５】
上記の実施形態では、回動式であり且つ前開き式の蓋部４０，２４０について例示したが、これに代えて、回動式であり且つ後開き式の蓋部や、回動式であり且つ右開き或いは左開き式の蓋部や、スライド式の蓋部を採用することもできる。
【００７６】
上記の実施形態では、回動軸２４は、蓋部４０，２４０が閉位置Ｐ２にあるときに前端部４１よりも下方であり且つ後方に配置される場合について例示したが、この回動軸２４と蓋部４０，２４０の前端部４１との配置関係が必要に応じて適宜に変更可能である。例えば、蓋部４０，２４０の開位置Ｐ１での上方への突出量（図７中の突出量Ｌ３を参照）に制限がない場合には、蓋部４０，２４０が閉位置Ｐ２にあるときに前端部４１の真下に回動軸２４が配置されるようにしてもよい。
【００７７】
上記の実施形態では、ホルダ本体部２０，１２０に着脱可能に取付けられる仕切部３０について例示したが、これに代えて、仕切部３０に相当する部位がホルダ本体部２０，１２０と一体成形された構造を採用することもできる。
【００７８】
上記の実施形態では、ホルダ本体部２０，１２０において第１領域２１が第２領域２２の後方に配置される場合について例示したが、これに代えて、第１領域２１が第２領域２２の右方或いは左方に配置された構造を採用することもできる。
【００７９】
上記の実施形態では、ホルダ本体部２０，１２０に第３領域２３を設ける場合について例示したが、必要に応じてこの第３領域２３を省略することもできる。
【００８０】
上記の実施形態では、蓋部４０，２４０が回動中心Ａを構成する回動軸２４の周りに回動する場合について例示したが、これに代えて、蓋部４０，２４０が仮想上の回動中心Ａの周りに回動するように構成することもできる。
【００８１】
上記の実施形態では、車両のコンソールパネル１に組付けられるカップホルダ装置１０，１１０，２１０について例示したが、これらのカップホルダ装置１０，１１０，２１０の構造を、車両のうちコンソールパネル１以外の他の部位に組付けられるカップホルダ装置や、会議場、劇場、映画館などの屋内施設に配置されるシート等に装着されるカップホルダ装置の構造に適用することもできる。
【符号の説明】
【００８２】
１０，１１０，２１０  カップホルダ装置
２０，１２０  ホルダ本体部
２０ａ  収容空間
２０ｃ  停止面
２１  第１領域（領域）
２２  第２領域（領域）
２３  第３領域（領域）
２４  回動軸
３０  仕切部
４０，２４０  蓋部
４０ａ  裏面（対向面）
４１  前端部
４２  連結アーム
４３  クッション部
Ａ  回動中心
Ｐ１  開位置
Ｐ２  閉位置
Ｗ１  飲料容器（取っ手付き容器）
Ｗ２  副収容物
Ｗ３  取っ手
Ｘ  垂直方向
Ｙ  水平方向
【図１】
2019127146.tif 000003
【図２】
2019127146.tif 000004
【図３】
2019127146.tif 000005
【図４】
2019127146.tif 000006
【図５】
2019127146.tif 000007
【図６】
2019127146.tif 000008
【図７】
2019127146.tif 000009
【図８】
2019127146.tif 000010
【図９】
2019127146.tif 000011
【図１０】
2019127146.tif 000012
【図１１】
2019127146.tif 000013